(57)【要約】【課題】  火災感知器を接続した複数の監視回線の火災受信検出回路に対応させて火災試験回路を共通に設けて、火災受信検出回路の試験動作を一斉に行えるようにした、火災受信機を提供する。  【解決手段】  それぞれに火災感知器、火災発信器を接続した複数の監視回線を導出させた火災受信検出回路と、これらの火災受信検出回路に試験信号を送出する火災試験回路と、火災受信検出回路による火災信号の受信の有無を判別して、火災の発生を判断して警報を出力する信号処理部とを備えた火災受信機において、上記複数の火災受信検出回路には共通の火災試験回路が設けられており、この共通の火災試験回路は、試験スイッチを操作したとき、あるいは所定の火災試験指令信号を受けたときに、上記複数の火災受信検出回路に対して試験信号を一斉に送出して、それぞれの火災受信検出回路の動作を、上記信号処理部で確認する構成にしている。  【選択図】  図１
2005157619.tif 000002
【特許請求の範囲】
【請求項１】
それぞれに火災感知器、火災発信器を接続した複数の監視回線を導出させた火災受信検出回路と、これらの火災受信検出回路に試験信号を送出する火災試験回路と、火災受信検出回路による火災信号の受信の有無を判別して、火災の発生を判断して警報を出力する信号処理部とを備えた火災受信機において、
上記複数の火災受信検出回路には共通の火災試験回路が設けられており、
この共通の火災試験回路は、試験スイッチを操作したとき、あるいは上記信号処理部から火災試験指令信号を受けたとき、上記複数の火災受信検出回路に試験信号を送出して、それぞれの火災受信検出回路の動作を、上記信号処理部で確認する構成にしている、火災受信機。
【請求項２】
請求項１において、
上記共通の火災試験回路は、複数の監視回線に対応して設けた火災受信検出回路を所定数に区分して規定された試験グループに対応して設けている、火災受信機。
【請求項３】
請求項２において、
試験グループ割付制御手段と、表示操作部とを更に備えており、
この試験グループ割付制御手段は、監視回路の火災受信検出回路と、火災試験回路側に設けたグループ分け信号ラインとの接続パターンを特定するデコーダ回路を備えた構成にしている、火災受信機。
【請求項４】
請求項２，３のいずれかにおいて、
上記複数の試験グループのうち、同一の試験グループに含まれる火災受信検出回路は、同一の回路基板上で、配線パターンを隣接して形成されたものが含まれないようにして区分されている、火災受信機。
【請求項５】
請求項３において、
上記火災受信機は、
試験スイッチと、試験グループ選択スイッチとを有した表示操作部を更に備え、
この表示操作部には、上記試験グループ選択スイッチによって、上記試験グループ割付制御手段を作動して試験対象とすべき試験グループが選択設定されると、試験対象に設定された試験グループに含まれる火災受信検出回路に対応した監視回線を表示させ、かつ
上記信号処理部は、試験グループが選択され、上記試験スイッチが操作されたときには、上記共通の火災試験回路を作動させて、上記試験グループ割付制御手段によって割付けられた試験グループに属するすべての火災受信検出回路に試験信号を一斉に送出して、試験対象に設定されたグループに含まれる、それぞれの火災受信検出回路の動作を確認する構成にしている、火災受信機。
【請求項６】
請求項２において、
上記火災受信機は、
試験スイッチを有し、監視回線に対応した火災受信検出回路を特定した試験指令を受付けて、試験対象として選択した火災受信検出回路に対応した監視回線をすべて表示する表示操作部を更に備えており、
上記信号処理部は、上記試験スイッチを操作したときには、上記試験対象として選択され、監視回線に対応した火災受信検出回路を含んだ試験グループの共通の火災試験回路を作動させて、その試験グループ内の火災受信検出回路に一斉に試験信号を送出して、その試験グループに含まれた火災受信検出回路の動作を確認する構成にしている、火災受信機。
【請求項７】
請求項２において、
上記火災受信機は、
試験スイッチを有し、監視回線に対応した火災受信検出回路を特定した試験指令を受付けて、試験対象に特定された監視回線を表示する表示操作部を更に備え、
上記信号処理部は、上記試験スイッチを操作したときには、上記試験対象として選択された監視回線に対応した火災受信検出回路を含んだ試験グループの共通の火災試験回路を作動させて、その試験グループ内の火災受信検出回路に一斉に試験信号を送出して、その試験グループに含まれた火災受信検出回路の動作を確認する構成にしている、火災受信機。
【請求項８】
請求項１〜７のいずれかにおいて、
上記信号処理部は、上記火災試験回路による試験動作を、通常の火災監視動作に所定の周期で割り込ませて実行している、火災受信機。
【発明の詳細な説明】
【技術分野】
【０００１】
本発明は、火災受信機の改良に関し、特に、火災感知器を接続した監視回線に対応して設けた火災受信検出回路を、火災受信機側で擬似発報信号を送出して試験動作をさせるようにした火災受信機に関する。
【背景技術】
【０００２】
従来から、ビルやマンションなどに導入された自動火災報知システムでは、管理人室や防災センタなどに火災受信機を設置して、火災の早期発見や避難誘導などに役立てている。そして、このような火災受信機は、火災感知器、火災発信器を接続した複数の監視回路を導出し、それぞれの監視回線に対応して設けた火災受信検出回路と、これらの火災受信検出回路に試験信号を送って火災試験回路と、信号処理部とを備えた基本構成をなしており、信号処理部では、火災受信検出回路による火災受信の有無を判別し、火災の発生を判断して必要な警報を出力するようになっている。
【０００３】
下記の特許文献には、広域の自火報システムにおいて、関係する表示操作装置等を選択して、擬似発報試験を行う火災受信機が提案されているが、火災試験回路を共通に構成すること、グループ区分して使用することについての開示はない。
【特許文献１】特開２００２−１３３５４６号公報
【発明の開示】
【発明が解決しようとする課題】
【０００４】
したがって、従来の火災受信機では、監視回線に対応して設けた火災受信検出回路を、
それぞれに対応させて設けた火災試験回路によって１つ１つ試験動作させて、火災受信動作を確認するのが通例であった。そのため、監視回線に応じた数の火災試験回路が必要となり、回路数が増えると、部品点数も増え、また信号処理部における制御ポート数も増大するため、広い回路スペースが必要となり、コストアップの原因になっていた。
【０００５】
そこで、本発明は、このような事情に鑑みて、複数の監視回線に対応して設けた火災受信検出回路に対して共通の火災試験回路を設けて、一斉に擬似試験が行える構成にすることで回路構成、回路スペースを軽減して、製造コストの軽減化を図ることを目的としている。
【課題を解決するための手段】
【０００６】
上記目的を達成するため本発明は、次のような構成の火災受信機を提案している。
すなわち、請求項１の本発明は、それぞれに火災感知器、火災発信器を接続した複数の監視回線を導出させた火災受信検出回路と、これらの火災受信検出回路に試験信号を送出する火災試験回路と、火災受信検出回路による火災信号の受信の有無を判別して、火災の発生を判断して警報を出力する信号処理部とを備えた火災受信機において、上記複数の火災受信検出回路には共通の火災試験回路が設けられており、この共通の火災試験回路は、試験スイッチを操作したとき、あるいは上記信号処理部からの火災試験指令信号を受けたとき、上記複数の火災受信検出回路に試験信号を送出して、それぞれの火災受信検出回路の動作を、上記信号処理部で確認する構成にしている。
【０００７】
請求項２の本発明は、請求項１において、上記共通の火災試験回路は、複数の監視回線に対応して設けた火災受信検出回路を所定数に区分して規定された複数の試験グループ毎に対応して設けられている。
【０００８】
請求項３の本発明は、試験グループ割付制御手段と、表示操作部とを更に備えており、
この試験グループ割付制御手段は、監視回路の火災受信検出回路と、火災試験回路側に設けたグループ分け信号ラインとの接続パターンを特定するデコーダ回路を備えた構成にしている。
【０００９】
請求項４の本発明は、請求項２，３のいずれかにおいて、上記複数の試験グループのうち、同一の試験グループに含まれる火災受信検出回路は、同一の回路基板上で、配線パターンを隣接して形成されたものが含まれないようにして区分されている。
【００１０】
請求項５の本発明は、請求項３において、上記火災受信機は、試験スイッチと、試験グループ選択スイッチとを有した表示操作部を更に備え、この表示操作部には、上記試験グループ選択スイッチによって、上記試験グループ割付制御手段を作動して試験対象とすべき試験グループが選択設定されると、試験対象に設定された試験グループに含まれる火災受信検出回路に対応した監視回線を表示させ、かつ上記信号処理部は、試験グループが選択され、上記試験スイッチが操作されたときには、上記共通の火災試験回路を作動させて、上記試験グループ割付制御手段によって割付けられた試験グループに属するすべての火災受信検出回路に試験信号を一斉に送出して、試験対象に設定されたグループに含まれる、それぞれの火災受信検出回路の動作を確認する構成にしている。
【００１１】
請求項６の本発明は、請求項２において、上記火災受信機は、試験スイッチを有し、監視回線に対応した火災受信検出回路を特定した試験指令を受付けて、試験対象として選択した火災受信検出回路に対応した監視回線をすべて表示する表示操作部を更に備えており、上記信号処理部は、上記試験スイッチを操作したときには、上記試験対象として選択され、監視回線に対応した火災受信検出回路を含んだ試験グループの共通の火災試験回路を作動させて、その試験グループ内の火災受信検出回路に一斉に試験信号を送出して、その試験グループに含まれた火災受信検出回路の動作を確認する構成にしている。
【００１２】
請求項７の本発明は、請求項２において、上記火災受信機は、試験スイッチを有し、監視回線に対応した火災受信検出回路を特定した試験指令を受付けて、試験対象に特定された監視回線を表示する表示操作部を更に備え、
上記信号処理部は、上記試験スイッチを操作したときには、上記試験対象として選択された監視回線に対応した火災受信検出回路を含んだ試験グループの共通の火災試験回路を作動させて、その試験グループ内の火災受信検出回路に一斉に試験信号を送出して、その試験グループに含まれた火災受信検出回路の動作を確認する構成にしている。
【００１３】
請求項８の本発明は、請求項１〜７のいずれかにおいて、上記火災試験回路による試験動作を、通常の火災監視動作に所定の周期で割り込ませて実行している。
【発明の効果】
【００１４】
請求項１の本発明によれば、監視回線に対応して設けた火災受信検出回路に、火災試験回路を１対１に対応して設けていた従来の方式とは異なり、共通の火災試験回路によって一斉に動作試験が可能となるので、試験作業の効率化を図ることができる。
また、回路部品、制御処理部の制御ポート数も少なく出来るので、回路スペースも小さくでき、全体としての製造コストも軽減できる。
【００１５】
請求項２、３の本発明によれば、火災受信検出回路を複数のグループに区分させ、そのグループ毎に火災試験回路を共通に設けているので、擬似試験時に流れる消費電流の最大値を抑制して、必要な電源容量を小さくできる。
更に、請求項４では、グループ区分される火災受信検出回路は、同一の回路基板上で配線パターンを隣接して形成されたものが含まれないようにしているので、配線パターンの短絡などの原因によって誤った試験結果を得るようなことが未然に防止できる。
【００１６】
請求項５の本発明では、試験グループ選択スイッチを操作すれば、表示操作部には、試験対象に設定された試験グループに含まれる監視回線が表示される一方、試験スイッチを操作することによって、試験対象に設定された火災受信検出回路に対応して設けた共通の火災試験回路から一斉に試験信号を送出して試験動作を確認することができる。
請求項６の本発明では、表示操作部には、試験対象として選択されたグループに所属する火災受信検出回路に対応したすべての監視回線が順次あるいは一覧表示され、試験スイッチを操作すれば、信号処理部は、試験対象として選択された監視回線に対応した火災受信検出回路に対して、共通の火災試験回路を作動させて、一斉に試験信号を送出し、信号処理部では、その試験グループに含まれた、それぞれの火災受信検出回路の動作が確認できる。
請求項７の本発明では、表示操作部には、試験対象として選択された火災受信検出回路に対応した監視回線が表示され、試験スイッチを操作すれば、信号処理部は、試験対象として選択された監視回線に対応して、火災受信検出回路に対して、その試験グループに含まれる共通の火災試験回路を作動させて、一斉に試験信号を送出し、信号処理部では、その試験グループに含まれた火災受信検出回路の動作が、それぞれ確認できる。
【００１７】
請求項８の本発明では、監視回線を通じて火災発報を受信し、火災を判別する通常の監視動作に、所定周期で試験動作を割り込ませているので、通常の火災監視動作を停止させることなく、時分割で並行処理が出来る。
【発明を実施するための最良の形態】
【００１８】
以下に、本発明の実施の形態について説明する。
【実施例１】
【００１９】
図１は、本発明の火災受信機の基本構成を示したブロック図である。
火災受信機Ａは、監視回線端子Ｌ１〜Ｌｎ、Ｌｃには、火災感知器Ｓ・・・や発信器（不図示）、終端器Ωを接続した監視回線ｌ１、ｌ２・・・を導出させ、監視回線ｌ１、ｌ２・・・〜ｌｎのそれぞれには火災受信検出回路１（＃１）〜１（＃ｎ）を設け、地区ベル端子Ｂ１〜Ｂｎ、Ｂｃには地区ベルＢ・・・を接続し、主ベル端子Ｂｏには主ベルＢｍを接続している。
ここに、火災受信検出回路１（＃１）〜１（＃ｎ）は、ＣＰＵを含んで構成された信号処理部２の対応した入力ポートＰ１〜Ｐｎに接続され、信号処理部２では、これらの入力ポートＰ１〜Ｐｎを所定時間単位で参照して、予め準備されたプログラム処理によって、監視回線ｌ１〜ｌｎの火災信号の受信有無を判別し、火災の発生を判断している。
例えば、信号処理部２は、２００ｓｅｃ毎に、監視回線ｌ１〜ｌｎの入力ポートＰ１〜Ｐｎを参照して、火災信号の受信を連続して３回判断したときには、火災が発生したと判断して、主ベルＢｍを鳴動させるとともに、火災発生を検出した監視回線ｌｎに応じた地区ベルＢを鳴動させている。
また、共通の火災試験回路３が、火災受信検出回路１（＃１）〜（＃ｎ）に対して、ダイオードＤを通じて接続されており、火災試験回路３は、試験スイッチＳＷを備え、信号処理部２はＳＷの操作によって火災試験指令信号を受ける構成になっている。
このような構成によれば、火災試験回路３の試験スイッチＳＷを操作すると、すべての監視回線ｌ１〜ｌｎに対応して設けた火災受信検出回路１（＃１）〜１（＃ｎ）には、火災信号を受信したときと同じような試験電流を通じることで試験信号を送出し、そのときの動作を信号処理部２の入力ポートＰ１〜Ｐｎを参照することで、火災受信検出回路１（＃１）〜１（＃ｎ）が正常に動作するかどうかを判別している（請求項１）。
火災試験回路３は、信号処理部２から火災試験指令を受けることによっても、試験信号を送出しており、そのような試験動作は、図６に示したように、監視動作を、例えば時間間隔ｔで入力ポートＰ１〜Ｐｎを参照しながら火災信号の監視動作を行い（サンプリング）、その間のｔ０時間の間に試験信号を送って、火災受信検出回路１（＃１）〜１（＃ｎ）の動作を確認することで時分割並行処理している（請求項７）。
【実施例２】
【００２０】
図２は、火災試験回路３を、複数の試験グループに区分した、火災受信機Ｂを示しており、この図では、特に、３つの試験グループＧ１，Ｇ２，Ｇ３に区分した例を示している。
すなわち、火災試験回路３は、試験グループＧ１、Ｇ２，Ｇ３に応じて、３（＃１）〜３（＃３）の３つに区分されており、それぞれに試験スイッチＳＷ１、ＳＷ２、ＳＷ３を備えるとともに、信号処理部（図２では不図示）からは、火災試験指令信号を受ける構成になっている（請求項２、３）。
また、このような例では、火災受信検出回路１（＃１）〜１（＃ｎ）は、同一の回路基板上で配線されたパターンは、隣接する火災受信検出回路１のパターンが同じグループに選択されないように配線されており、これによって、回路基板上で配線パターンに短絡などを生じても、試験結果を誤ることを未然に防止している（請求項４）。
【実施例３】
【００２１】
図３は、試験グループ割付制御手段４と、試験スイッチＳＷとを備え、監視回線ｌ１〜ｌｎに対応して設けた複数の火災受信検出回路１（＃１）〜（＃ｎ）を、火災試験回路３側で特定した試験グループに割り付けて区分できるようにした火災受信機Ｃを示している。
この火災受信機Ｃでは、表示操作部５の操作スイッチ５１を操作し、試験グループ割付制御手段４を作動させて、火災受信検出回路１（＃１）〜（＃ｎ）と火災試験回路３の試験グループを規定する信号ラインとの接続パターンを変化させるデコード回路（不図示）などを内蔵させて構成されている。
図３では、火災試験回路３には、グループ区分するためのグループ分け信号ラインを３つ設け、この３つの信号ラインに、表示操作部５の操作スイッチ（不図示）によって、デコダ回路に制御信号を送ることで、火災受信検出回路１（＃１）〜１（＃ｎ）を、火災試験回路３の３つの信号ラインにグループ分けできるようにしている。
火災試験回路３には、３つの試験グループに対応した試験スイッチＳＷ１〜ＳＷ３を設けており、試験スイッチＳＷ１〜ＳＷ３の少なくとも１つを操作することによって、特定された試験グループには試験信号が送出され、このときの動作を信号処理部（不図示）で判別することで、その試験グループに含まれる火災受信検出回路１（＃１）〜１（＃ｎ）の動作確認がなされている。火災試験回路３の試験グループに区分される火災受信検出回路１（＃１）〜１（＃ｎ）は、任意に変更できる点で、図２の実施例とは異なっている。
【実施例４】
【００２２】
図４は、試験スイッチＳＷ，試験グループ選択スイッチ５ｂを設けた表示操作部５と、試験グループ割付制御手段４とを設けた火災受信機Ｄ、図５は、火災受信機Ｄの正面図を示している。
表示操作部５を操作して、試験対象となる火災受信検出回路１（＃１）〜１（＃ｎ）の所望のものを試験グループとして設定した後、試験グループ選択スイッチ５ｂによって、設定した試験グループを選択すると、その試験グループに含まれる火災受信検出回路１（＃１）〜１（＃ｎ）に対応した監視回線ｌ１〜ｌｎの名称が表示部５ａに表示されるようになっている。表示部５ａのスペースが小さい場合には、試験対象として選択された監視回線ｌ１〜ｌｎは、順次スクロール表示される。
したがって、試験動作を行う際に、それらを確認した後、更に、試験スイッチＳＷを操作すれば、信号処理部（不図示）は、試験グループとして選択された火災受信検出回路１（＃１）〜１（＃ｎ）のみを火災試験回路３に接続して、試験動作が実行され、試験結果は、火災受信機Ｄの正常、異常ランプ６ａ，６ｂを点灯あるいは点滅させて報知されるようになっている（請求項５）。
なお、図４では、火災試験回路３と、試験グループ割付制御手段４とは１つの信号ラインで接続されているので、１つの試験グループしか選択できない構成にしているが、信号ラインを複数設けて、複数の試験グループを同時に設定できるようにしてもよい。
また、以上の実施例では、表示操作部５によって、予め試験対象とすべきグループを選択すると、表示操作部５には、その試験グループに含まれるすべての監視回線ｌ１〜ｌｎを順次表示してから、その試験グループに含まれる火災受信検出回路１（＃１）〜１（＃３）に共通な火災試験回路３を作動して、その試験グループに含まれる火災受信検出回路１（＃１）〜（＃３）を一斉に作動させる構成としているが、そのような構成に代えて、操作表示部５では、試験対象として選択した火災受信検出回路１（＃１）〜１（＃３）に対応した監視回線ｌ１〜ｌｎのみを表示し、試験スイッチＳＷを操作して試験指令を行えば、信号処理部２は、試験対象として選択された監視回線ｌ１〜ｌｎに対応した火災受信検出回路１（＃１）〜１（＃３）にのみならず、その監視回線ｌ１〜ｌｎに対応した火災受信検出回路１（＃１）〜１（＃３）が含まれる試験グループの共通の火災試験回路３を作動させることによって、その試験グループの火災受信検出回路１（＃１）〜１（＃３）に一斉に試験信号を送出する構成にしてもよい。
このような構成の火災受信機によれば、操作者には、試験指令によって特定された火災受信検出回路に対応させた監視回線が表示され、必要な場合には外部移報がなされる一方、信号処理部は、試験指令によって特定された火災受信検出回路が含まれる試験グループ内のすべての火災受信検出回路の動作確認を同時に効率よく行うことができる（請求項７）。
【図面の簡単な説明】
【００２３】
【図１】本発明の火災受信機（実施例１）の基本構成を示したブロック図である。
【図２】本発明の火災受信機（実施例２）の基本構成を示したブロック図である。
【図３】本発明の火災受信機（実施例３）の基本構成を示したブロック図である。
【図４】本発明の火災受信機（実施例４）の基本構成を示したブロック図である。
【図５】実施例４の火災受信機の正面図である。
【図６】火災監視動作と試験動作の処理タイミングを示すタイムチャートである。
【符号の説明】
【００２４】
Ａ、Ｂ，Ｃ，Ｄ  火災受信機  
１  火災受信検出回路
２  信号処理部
３  火災試験回路
４  試験グループ割付制御手段
５  表示操作部
５ａ  表示部
５ｂ  試験グループ選択スイッチ
ＳＷ  試験スイッチ
ＳＷ１〜ＳＷｎ  試験グループ試験スイッチ
【図１】
2005157619.tif 000003
【図２】
2005157619.tif 000004
【図３】
2005157619.tif 000005
【図４】
2005157619.tif 000006
【図５】
2005157619.tif 000007
【図６】
2005157619.tif 000008